(57)【要約】    【課題】仕上げ材のエンボスや皺を目立たなくするデコパージュ手法を提供する。    【解決手段】装飾品１は、表面が平滑に形成されたベース２と、ベース２の表面に下地材を塗布し乾燥させた下地層３と、乾燥させた下地層３の表面に定着剤を塗布して形成した第一定着層４と第一定着層４が未乾燥の状態で貼付され、表面が平滑に形成されたベース２と、ベース２の表面に下地材を塗布し乾燥させた下地層３と、乾燥させた下地層３の表面に定着剤を塗布して形成した第一定着層４と第一定着層４が未乾燥の状態で貼付され、第二定着層６の表面に防水材を塗布して乾燥させた防水材７と、を備え、 乾燥後の下地層３の表面がベース２の表面より平滑性が低減されている。【選択図】図２
2015182338.tif 000002
【特許請求の範囲】
【請求項１】
表面が平滑に形成されたベースに、 下地材を塗布し乾燥させ、乾燥させた下地材の表面に定着剤により、 シート形状に形成され、吸水性を有する仕上材を 貼付するデコパージュ手法であって、 乾燥後の下地材の表面はベースの表面より、 平滑性が低減されているデコパージュ手法。
【発明の詳細な説明】
【技術分野】
【０００１】
デコパージュ手法に関し、特に、ベースに仕上げ材を貼付するデコパージュ手法に関する。
【背景技術】
【０００２】
ここでいうデコパージュとはペーパー類、デコパージュペーパー、ペーパーナプキンの柄を木製品、プラスティック製品、陶製品、紙製品、布製品、合皮製品、金属製品、石鹸、ろうそくなどの素材に定着剤を用い転写する技術である。
従来の技法では素材である陶製タイルに定着剤を用い、ペーパーナプキンを転写している。ペーパーナプキンのエンボスや表面の皺が残る表現になる。無理に皺を伸ばそうとするとペーパーナプキンの表面が破損する。 多くの素材でこのような問題は発生する。
【０００３】
【特許文献１】特開平９−２４８３８２号公報
【発明の概要】
【発明が解決しようとする課題】
【０００４】
先行技術のデコパージュは以下のように作成される。
ベースに定着剤を用い、仕上げ材であるペーパーナプキンを転写している。
しかしながらこの場合、ペーパーナプキンのエンボスや表面の皺が残る。
本発明は仕上げ材のエンボスや皺を目立たなくするデコパージュ手法を提供することを目的とする。
【課題を解決するための手段】
【０００５】
本発明は以上の点を解決するため次のような手法を考案した。 
表面が平滑に形成されたベースに、 
下地材を塗布し乾燥させ、
乾燥させた下地材の表面に定着剤により、 シート形状に形成され、
吸水性を有する仕上材を 貼付するデコパージュ手法であって、 
乾燥後の下地材の表面はベースの表面より、 
平滑性が低減されているデコパージュ手法。
【発明の効果】
【０００６】
本発明によれば、仕上げ材のエンボスや皺を目立たなくするデコパージュ手法を提供できる。
【図面の簡単な説明】
【０００７】
【図１】は本発明の実施形態に係るデコパージュ手法により造られた装飾品１を示す図である。
【図２】は装飾品１の断面を拡大した図である。
【図３】前記実施形態に係るデコパージュ手法を説明する図である。
【図４】前記実施形態に係るデコパージュ手法を説明する図である。
【図５】前記実施形態に係るデコパージュ手法を説明する図である。
【発明を実施するための形態】
【０００８】
次に本実施形態に係るデコパージュ手法を説明する。
図１は、本発明の実施形態に係るデコパージュ手法により造られた装飾品１を示す図である。
図２は、装飾品１の断面を拡大した図である。
図３は、前記実施形態に係るデコパージュ手法を説明する図である。
図４は、前記実施形態に係るデコパージュ手法を説明する図である。
図５は、前記実施形態に係るデコパージュ手法を説明する図である。
【０００９】
装飾品１は、表面が平滑に形成されたベース２と、ベース２の表面に下地材を塗布し乾燥させた下地層３と、乾燥させた下地層３の表面に定着剤を塗布して形成した第一定着層４と第一定着層４が未乾燥の状態で貼付され、表面が平滑に形成されたベース２と、ベース２の表面に下地材を塗布し乾燥させた下地層３と、乾燥させた下地層３の表面に定着剤を塗布して形成した第一定着層４と第一定着層４が未乾燥の状態で貼付され、第二定着層６の表面に防水材を塗布して乾燥させた防水材７と、を備え、 乾燥後の下地層３の表面がベース２の表面より平滑性が低減されている。
【００１０】
手法１．ベース２である木製品、プラスティック製品、陶製品、紙製品、布製品、革製品、合皮製品、又は金属製品にテクスチャー剤（アクリルポリマー、エマルジョン、グリコール、炭酸カルシウム、セラミックパウダー）を下地層３として塗布し、下地層４としてビニールアクリル重合体水性塗料またはアクリル系ペイント定着液剤を使用し、下地材５であるペーパーナプキンあるいはデコパージュペーパーを転写する。第二定着層６として下地層４と同様の定着剤を塗布した後乾燥させ、防水材７を塗布する。
【００１１】
手法２.ベース２である木製品、プラスティック製品、陶製品、紙製品、布製品、革製品、合皮製品、又は金属製品にテクスチャー剤（アクリルポリマー、エマルジョン、グリコール、炭酸カルシウム、セラミックパウダー）を下地層３として塗布し、下地層４としてビニールアクリル重合体水性塗料またはアクリル系ペイント定着液剤を使用し、下地材５であるペーパーナプキンあるいはデコパージュペーパーを転写する。第二定着層６として下地層４と同様の定着剤を塗布した後乾燥させ、防水材７を塗布する。 
【００１２】
手法３． ベース２である木製品、プラスティック製品、陶製品、紙製品、布製品、革製品、合皮製品、又は金属製品にアクリル水性絵具を下地層３として塗布し、下地層４としてビニールアクリル重合体水性塗料またはアクリル系ペイント定着液剤を使用し下地材５であるペーパーナプキンあるいはデコパージュペーパーを転写する。第二定着層６として下地層４と同様の定着剤を塗布した後乾燥させ、防水材７を塗布する。
【００１３】
手法４．ベース２である木製品、プラスティック製品、陶製品、紙製品、布製品、革製品、合皮製品、又は金属製品に下地層３としてスプレー式定着剤を塗布し、下地層４としてビニールアクリル重合体水性塗料またはアクリル系ペイント定着液剤を使用し下地材５であるペーパーナプキンあるいはデコパージュペーパーを転写する。
なお多面を有する素材の場合、ペーパーナプキンを貼らない個所については自在な色のペイントや装飾を楽しむことができる。
【００１４】
本実施形態によれば以下の作用効果を奏する。
１.陶製品タイルにアクリルディスパーション下地あるいはテクスチャー剤を塗布する。これによりベース２の表面に下地層３を形成することで、従来手法より吸収率が高くなり定着剤がより一層浸透する。 さらに表面の凹凸が陰影を増し、より作品に重厚感を出す効果がある。 
２．さらにまた下地層３により表面に凹凸が付いているのでペーパーナプキンの定着が一層増す。 指でこするなどの従来手法では破損が頻繁に起きていたが、この手法によりほとんど圧をかけずに定着させることに成功した。 従来手法よりエンボスや皺が残るといった問題が解消された。 
３．乾燥後、再度筆でビニールアクリル重合体乳剤を塗布する場合、 従来手法では圧をかけながら筆で塗りこんでいたがこの手法だと２の．の段階で下地にペーパーナプキンが密着しているので圧をかける必要なく塗布できる。よって破損等の失敗が全て回避できる。 
４.乾燥後水性ニスを塗布し、完成。
【符号の説明】
【００１５】
１  装飾品 
２  ベース 
３  下地層 
４  第一定着層 
５  仕上材 
６  第二定着層 
７  防水層
【図１】
2015182338.tif 000003
【図２】
2015182338.tif 000004
【図３】
2015182338.tif 000005
【図４】
2015182338.tif 000006
【図５】
2015182338.tif 000007